(57)【要約】【課題】  時針及び分針以外の指針、例えば秒針により、時刻目盛と目覚しセット目盛、又は１０分刻み目覚しセット目盛と５分刻み目覚しセット目盛を、指針が正確にそれぞれの目盛を指すことができる目覚し時計を提供することにある。【解決手段】  目覚し時計は、時針及び分針を駆動する第１駆動機構３２と、時針及び分針以外の指針を駆動する第２駆動機構３４とを備えている。第２駆動機構３４には、モータとその回転を減速する輪列が設けられており、この輪列の減速比が１／１８０，１／３６０のように設定されて、６と５の公約数又は６と２．５の公約数となる角度で指針を運針させる。これにより、指針のステップ数を適宜設定するだけで、６°，５°，２．５°回転させて、指針を時刻目盛あるいは目覚しセット目盛に精度良く合わせて運針させることができる。【選択図】  図１
2011122842.tif 000002
【特許請求の範囲】
【請求項１】
時刻を判別して自動修正する目覚し時計において、
時針及び分針を駆動する第１駆動機構と、
前記時針及び分針以外の指針を駆動する第２駆動機構と、を備え、
前記第２駆動機構におけるモータの回転を減速させる輪列の減速比を、６と５の公約数又は６と２．５の公約数となる角度で前記指針を運針させる数値に設定したことを特徴とする目覚し時計。
【請求項２】
前記輪列の減速比を１／１８０に設定して、前記指針を１°ずつ運針させることで、５°間隔で目盛が形成された１０分刻み目覚しセット目盛と６°間隔で目盛が形成された時刻目盛にそれぞれ対応する指針表示を行うことを特徴とする請求項１記載の目覚し時計。
【請求項３】
前記輪列の減速比を１／３６０に設定して、前記指針を０．５°ずつ運針させることで、２．５°間隔で目盛が形成された５分刻み目覚しセット目盛と６°間隔で目盛が形成された時刻目盛にそれぞれ対応する指針表示を行うことを特徴とする請求項１記載の目覚し時計。
【請求項４】
前記輪列の減速比を１／３６０に設定して、前記指針を０．５°ずつ運針させることで、２．５°間隔で目盛が形成された５分刻み目覚しセット目盛と５°間隔で目盛が形成された１０分刻み目覚しセット目盛にそれぞれ対応する指針表示を行うことを特徴とする請求項１記載の目覚し時計。
【発明の詳細な説明】
【技術分野】
【０００１】
本発明は、電波時計のように時刻を判別して自動修正する時計に関するものであり、特に、設定した時刻にアラーム動作を行う目覚し時計に関するものである。
【背景技術】
【０００２】
従来、時刻情報を含む電波を受信することで時刻を判別して自動修正する電波時計に、アラーム機能を付加した目覚し時計があった。この種の目覚し時計としては、時針、分針、秒針及び目安針を備えたものが一般的である。このような４針アナログ電波目覚し時計には、時刻を自動修正するときに秒針と時分針をそれぞれ駆動するために、通常、秒針と時分針をそれぞれ駆動する２系統の駆動機構が設けられている。また、この時計には、手動操作により目安針を回転させる目安針と、時針を駆動する時針車の回転により回転して目安車の溝に応じて上下する目安カムと、この目安カムにより押圧されて上下するアゲバネと、このアゲバネに接触導通する接点板等からなる目安機構が設けられている。
【０００３】
上記のような４針アナログ電波目覚し時計の場合、目安カムが上下することでアラームがオンオフする構造のため、接点接触音が生じたり、接点精度が悪く且つ不打ち不良など動作が不安定になるという問題があった。また、目安機構は部品点数が多く、構造が複雑で、組立工数が増し、これによりコストが高くなるという問題もあった。
【０００４】
そこで、時針及び分針あるいは秒針を使ってアラーム時刻を表示する電波修正時計が提案されていた（例えば、特許文献１参照）。この時計においては、アラームモード時に、時針及び分針あるいは秒針を目安針として使用することにより、アラーム時刻を表示していた。このように秒針等を目安針として使用することにより、目安針及びこの目安針を駆動する輪列機構や、前述した目安機構を削減することが可能となった。
【０００５】
しかしながら、時針及び分針でアラーム時刻を表示すると、時針の動きが遅いため、時刻とアラーム時刻の表示を切換表示するときに時間がかかるという問題があった。また、秒針でアラーム時刻を表示する場合、秒針の１ステップが３６０／６０＝６°であるのに対し、アラーム時刻のセット目盛が１０分刻みの場合３６０／７２＝５°であるため、秒針で正確にセット目盛を指すことができないという問題があった。
【先行技術文献】
【特許文献】
【０００６】
【特許文献１】特開２００５−２３３６５９号公報
【発明の概要】
【発明が解決しようとする課題】
【０００７】
本発明が解決しようとする課題は、上記従来技術の問題点を解決し、時針及び分針以外の指針、例えば秒針や目安針により、時刻目盛と目覚しセット目盛、又は１０分刻み目覚しセット目盛と５分刻み目覚しセット目盛を、何れも指針が正確にそれぞれの目盛を指すことができる目覚し時計を提供することにある。
【課題を解決するための手段】
【０００８】
本発明の目覚し時計は、時刻を判別して自動修正する目覚し時計であって、時針及び分針を駆動する第１駆動機構と、前記時針及び分針以外の指針を駆動する第２駆動機構と、を備えている。この目覚し時計における前記第２駆動機構におけるモータの回転を減速させる輪列の減速比は、６と５の公約数又は６と２．５の公約数となる角度で前記指針を運針させる数値に設定されている。
【０００９】
また、この目覚し時計は、前記輪列の減速比を１／１８０に設定して、前記指針を１°ずつ運針させると、５°間隔で目盛が形成された１０分刻み目覚しセット目盛と６°間隔で目盛が形成された時刻目盛にそれぞれ対応するように指針表示を行うものとなる。
【００１０】
また、この目覚し時計は、前記輪列の減速比を１／３６０に設定して、前記指針を０．５°ずつ運針させると、２．５°間隔で目盛が形成された５分刻み目覚しセット目盛と６°間隔で目盛が形成された時刻目盛にそれぞれ対応するように指針表示を行うものとなる。更に、この目覚し時計では、２．５°間隔で目盛が形成された５分刻み目覚しセット目盛と５°間隔で目盛が形成された１０分刻み目覚しセット目盛にそれぞれ対応するように指針表示を行うものにもなる。
【発明の効果】
【００１１】
本発明の目覚し時計は、指針の運針角度が、６と５の公約数又は６と２．５の公約数となるように指針を駆動する輪列の減速比を１／１８０，１／３６０に設定している。このため、指針を秒目盛（１目盛６°）と１０分刻み目覚しセット目盛（１目盛５°）の両方を正確に指したり、秒目盛と５分刻み目覚しセット目盛（１目盛２．５°）の両方を正確に指したり、１０分刻み目覚しセット目盛と５分刻み目覚しセット目盛の両方を正確に指すことができる。これにより、指針により、時刻及び目覚しセット時刻の両方を精度良く切換表示することができる。
【００１２】
また、指針の運針角度を輪列等の機械的構成を変えることなく、ステップ数を切り換えるだけで選択することができるので、秒表示と目安表示、あるいは目安表示の種類（１０分刻み、５分刻み等）を、スイッチ操作や制御部としてのＩＣの端子設定だけで切り換えることができる。このため、ムーブメントをアラーム機能の有無、目安表示の種類に応じて別個に用意する必要がなく、全て共用することができる。
【図面の簡単な説明】
【００１３】
【図１】本発明の一実施例に係る目覚し時計におけるムーブメントの内部構造を示す要部断面図である。
【図２】図１に示すムーブメントに取り付ける文字板を示す正面図である。
【図３】図２に示す文字板の他の例を示す正面図である。
【図４】本発明の目覚し時計の構成を示すブロック図である。
【発明を実施するための形態】
【００１４】
本発明の目覚し時計は、電波時計のように時刻情報を含む電波を受信して時刻を判別し自動修正する時計であり、時針及び分針を駆動する第１駆動機構と、時針及び分針以外の指針を駆動する第２駆動機構とを備えている。この第２駆動機構には、モータとその回転を減速する輪列が設けられており、この輪列の減速比が１／１８０，１／３６０のように設定されて、６と５の公約数又は６と２．５の公約数となる角度で指針を運針させている。これにより、指針は１ステップで１°あるいは０．５°運針されることになる。１ステップで１°運針する場合、指針を５ステップさせると、１０分刻み目覚しセット目盛の１目盛分である５°回転し、６ステップさせると、時刻目盛の１目盛分である６°回転する。また、１ステップで０．５°運針する場合、指針を５ステップさせると、５分刻み目覚しセット目盛の１目盛分である２．５°回転し、１０ステップさせると、１０分刻み目覚しセット目盛の１目盛分である５°回転し、１２ステップさせると、秒目盛の１目盛分である６°回転することになる。この結果、上記のように減速比を設定することで、指針をそれぞれの目盛に精度良く合わせることが可能となる。
【実施例】
【００１５】
はじめに、本発明の一実施例に係る目覚し時計の概略構成を図４に示すブロック図に基づいて説明する。本実施例における目覚し時計は、電波信号等を受信することで時刻信号を定期的に取り込んで現在時刻を修正計時すると共に、目覚し時刻等を設定記憶して現在時刻との一致を検出する等の各種機能を有するマイコンＩＣ、メモリ、モータ駆動回路等からなる制御部２を有している。
【００１６】
また、この目覚し時計には、時針及び分針４とそれら以外の指針（本実施例においては秒針）６をそれぞれ駆動する２系統のモータ８，１０と輪列１２，１４が設けられている。更に、本実施例においては、時刻表示と目覚し時刻表示とを切り換えるモード切換スイッチ１６と、目覚し時刻を入力するためのプッシュボタン等の入力スイッチ１８と、アラーム音等を発生する報知部２０とを設けている。
【００１７】
更に、本実施例においては、指針６を秒針、目安針、１０分刻み表示目安針あるいは５分刻み表示目安針として外部操作又は製造時に切り換えて使用可能とするための運針切換設定部２２を設けている。
【００１８】
本実施例において、通常、時刻を表示するときには、受信した時刻情報等に基づいて制御部２がモータ８，１０をそれぞれ駆動して時針及び分針４と秒針６を運針させて現在時刻の時、分、秒を表示する。また、目覚し時刻のセットを行うためにモード切換スイッチ１６を操作すると、秒針として運針していた指針６が１２時位置に停止し、入力スイッチ１８を押圧操作することで指針６が所定角度ずつ運針されて目覚し時刻の設定と表示を行う。設定された目覚し時刻は、制御部２のメモリに記憶され、次回の目覚し時刻のセット時等に指針６を記憶した目覚し時刻の位置まで運針させて停止させる。
【００１９】
本実施例における指針６の運針角度は、ステップモータからなるモータ１０の回転を減速する輪列１４の減速比とモータ１０の駆動数により、時刻目盛と目覚しセット目盛にそれぞれ正確に指針６が停止するステップ運針を行うものとなっている。
【００２０】
次に、図１に示す本実施例の目覚し時計におけるムーブメントの要部断面図と図２及び図３に示す文字板の正面図を用いてムーブメントの内部構造及び運針の状態を説明する。図１において２４はケースであり、上ケース２６、下ケース２８及び中板３０からなり、その内部に駆動機構が収められている。このケース２４内には、時針及び分針４（図４）を駆動する第１駆動機構３２と、時針及び分針以外の指針６（図４）を駆動する第２駆動機構３４が収められている。
【００２１】
第１駆動機構３２は、時針及び分針４を駆動するモータ８（図４）のロータ３６から伝え車３８及び３番車４０を介して分針車４２に回転を伝えると共に日の裏車４４を介して分針車４２から時針車４６に回転を伝達する。また、第２駆動機構３４は、モータ１０（図４）のロータ４８から７番車５０、６番車５２及び５番車５４を介して秒針車５６に回転を伝達するものとなっている。
【００２２】
５８は回路基板であり、アンテナ、マイコンＩＣ等が取り付けられて、モータ８，１０（図４）等を駆動制御する回路等からなる制御部２（図４）を形成している。６０，６２はそれぞれ上ケース２６と回路基板５８に取り付けられた受光素子と発光素子であり、その間にある時針車４６、分針車４２、秒針車５６等に設けられた透孔を通して発光・受光するものである。この受光素子６０と発光素子６２からの信号により、各指針が所定位置（例えば、１２時００分００秒等の帰零位置）に達したことを検出して、指針位置を把握するために用いられる。
【００２３】
また、図２に示す文字板６４には、その外周付近に６０個の目盛からなる時刻目盛６４ａが設けられており、その内側に７２個の目盛からなる１０分刻み目覚しセット目盛６４ｂが設けられている。時刻目盛６４ａは、３６０／６０＝６°の角度で等間隔に円形配置されている。また、１０分刻み目覚しセット目盛６４ｂは、３６０／７２＝５°の角度で等間隔に円形配置されている。
【００２４】
また、図３に示す文字板６６には、文字板６４の時刻目盛６４ａと同一の時刻目盛６６ａが設けられている。また、この文字板６６には、５分刻み目覚しセット目盛６６ｂが設けられている。この５分刻み目覚しセット目盛６６ｂは、文字板６４の１０分刻み目覚しセット目盛６４ｂと同一の目盛からなる外側目盛６６ｃと、その直ぐ内側に外側目盛６６ｃに対して２．５°ずらして７２個の目盛を５°の角度で等間隔に円形配置した内側目盛６６ｄと、から構成されている。この外側目盛６６ｃ及び内側目盛６６ｄは、全部で１４４個あり、互いの間隔は３６０／１４４＝２．５°となっている。
【００２５】
上記構成からなる文字板６４の時刻目盛６４ａと１０分刻み目覚しセット目盛６４ｂをそれぞれ指針６（図４）が精度良く指し示すように運針させるには、指針６を６°ずつ及び５°ずつの双方の運針が可能なように設定することが必要である。本実施例においては、指針６の１回のステップを、６と５の公約数である１°に設定し、６ステップさせることで６°運針させ、５ステップさせることで５°運針させ、これにより、時刻目盛６４ａと１０分刻み目覚しセット目盛６４ｂに指針６が精度良く停止するように構成している。指針６の１ステップの運針角度は、ロータ４８が１回の駆動で１８０°回転するため、第２駆動機構３４における輪列の減速比を１／１８０に設定すれば１°となる。
【００２６】
また、文字板６６の時刻目盛６６ａと５分刻み目覚しセット目盛６６ｂをそれぞれ指針６が精度良く指し示すように運針させるには、指針６を６°ずつ及び２．５°ずつの双方の運針が可能なように設定することが必要である。この場合、本実施例においては、指針６の１回のステップを、６と２．５の公約数である０．５°に設定し、１２ステップさせることで６°運針させ、５ステップさせることで２．５°運針させ、これにより時刻目盛６６ａと５分刻み目覚しセット目盛６６ｂに精度良く指針６が停止するように構成している。この場合、指針６の１ステップの運針角度は、第２駆動機構３４における輪列の減速比を１／３６０に設定すれば０．５°となる。
【００２７】
また、指針６の１回のステップを０．５°に設定した場合、１０ステップさせることで指針６を５°運針させることができ、これにより１０分刻み目覚しセット目盛６４ｂ（外側目盛６６ｃのみ）に精度良く指針６を停止させることもできる。
【００２８】
上記のように、本実施例においては、第２駆動機構３４における輪列の減速比を１／１８０あるいは１／３６０に設定して１ステップで１°あるいは０．５°の運針を行うように構成すると、制御部２（図４）において１回のステップ数を切換制御するだけで、指針６を６°、５°あるいは２．５°ずつ運針させて精度良く目盛位置で停止させることが可能となる。
【００２９】
即ち、減速比１／１８０で１ステップにつき１°の運針の場合、時刻表示モードにおいては１秒で６ステップずつ運針させると、指針６が時刻目盛６４ａを正確に指し示しながら運針する。また、目覚しセットモードにおいては、入力スイッチ１８の１プッシュで５ステップずつ運針させると、指針６が１０分刻み目覚しセット目盛６４ｂを正確に指し示しながら運針する。
【００３０】
また、減速比１／３６０で１ステップにつき０．５°の運針の場合、時刻表示モードにおいては１秒で１２ステップずつ運針させると、指針６が時刻目盛６６ａを正確に指し示しながら運針する。また、目覚しセットモードにおいては、入力スイッチ１８の１プッシュで５ステップずつ運針させると、指針６が５分刻み目覚しセット目盛６６ｂを正確に指し示しながら運針する。
【００３１】
更に、減速比１／３６０で１ステップにつき０．５°の運針の場合、入力スイッチ１８の１プッシュで１０ステップずつ運針させることで、５°ずつ指針６を運針させることができ、これにより１０分刻み目覚しセット目盛６４ｂあるいは外側目盛６６ｃを正確に指し示しながら運針させることもできる。
【００３２】
尚、減速比を１／５４０，１／７２０等のように設定することも可能であるが、１ステップで運針する角度が非常に小さくなるため、目覚しセットモードにおける入力スイッチ１８の１ステップ当たりのステップ数が多くなって運針が遅くなる。これにより、目覚しセットに時間がかかり、実用上好ましいものではない。
【００３３】
また、本実施例においては指針６を秒針及び目安針として兼用しているが、運針切換設定部２２の切り換えにより、指針６を秒針、目安針、１０分刻み表示目安針あるいは５分刻み表示目安針として個々に使用するように設定したり、１０分刻み表示及び５分刻み表示が可能な目安針として使用するように設定することが可能である。例えば、指針６を目安針として使用するのであれば、輪列の減速比が１／１８０，１／３６０であると、モータ１０の１回当たりのステップ数を５ステップに固定して設定することで、指針６が目覚しセット目盛６４ｂ，６６ｂを精度良く指す状態で目安針のみとして使用することができる。
【符号の説明】
【００３４】
２    制御部
４    時針及び分針
６    指針
８，１０    モータ
１２，１４  輪列
１６  モード切換スイッチ
１８  入力スイッチ
２０  報知部
２２  運針切換設定部
２４  ケース
２６  上ケース
２８  下ケース
３０  中板
３２  第１駆動機構
３４  第２駆動機構
３６  ロータ
３８  伝え車
４０  ３番車
４２  分針車
４４  日の裏車
４６  時針車
４８  ロータ
５０  ７番社
５２  ６番車
５４  ５番車
５６  秒針車
５８  回路基板
６０  受光素子
６２  発光素子
６４，６６  文字板
６４ａ，６６ａ  時刻目盛
６４ｂ  １０分刻み目覚しセット目盛
６６ｂ  ５分刻み目覚しセット目盛
６６ｃ  外側目盛
６６ｄ  内側目盛
【図１】
2011122842.tif 000003
【図２】
2011122842.tif 000004
【図３】
2011122842.tif 000005
【図４】
2011122842.tif 000006